(57)【要約】【課題】  別途用具やウエス等の部材を用いることなく、洗浄から取り外し及びその後の処分等に至るまでの一連の作業が、直接ローラ体に手を触れることなく行え、結果的に手を汚すことなく、またローラ体の回転支持軸からの取り外しも軽い力で行うことができる新規なローラ式塗布具のローラ体処理具を提供する。【解決手段】  一対の挟み片２Ｒ，２Ｌから成る手挟み本体２に対しその先端寄りにしごき片３及びローラ体取外具４とを具備して成り、前記しごき片３は、ローラ体１１の周側面１２に当接させて押圧しながら軸方向に移動させることにより、ローラ体１１に付着した汚れ及び塗料をしごき取るものであり、前記ローラ体取外具４は、前記ローラ式塗布具１０のシャフト１５に当接させる当接支点部４ａと、ローラ体１１の軸方向端面に当接させる押出作用部４ｂとを具備して成ることを特徴とする。【選択図】図１
2006167678.tif 000002
【特許請求の範囲】
【請求項１】
ローラ体と、このローラ体を支持するための回転支持軸を具えた支持体とを具備して成るローラ式塗布具を処理対象とし、このものにおける前記ローラ体について、その洗浄、あるいは前記回転支持軸からの取り外し、更にあるいはその後の廃棄等の処理を行う器具において、このものは一対の挟み片から成る手挟み本体に対し、しごき片及びローラ体取外具とを具備して成り、前記しごき片は、ローラ体の周側面に当接させて押圧しながら軸方向に移動させることにより、ローラ体に付着した汚れ及び塗料をしごき取るものであり、前記ローラ体取外具は、前記ローラ式塗布具の支持体に当接させる当接支点部と、ローラ体の軸方向端面に当接させる押出作用部とを具備して成り、このうち当接支点部を前記ローラ式塗布具の支持体に当接させた状態で、この当接支点部を中心として押出作用部側へ手挟み本体を回動させることにより、ローラ体を押出作用部で押し出して前記回転支持軸から取り外すことを特徴とするローラ式塗布具のローラ体処理具。
【請求項２】
前記しごき片は、一方の挟み片の先端寄りの外面側に設けられ、前記ローラ体取外具は、他方の挟み片の先端寄りの外面側に設けられることを特徴とする請求項１記載のローラ式塗布具のローラ体処理具。
【請求項３】
前記しごき片は、しごき方向に対して開放した円弧状に形成されていることを特徴とする請求項１または２記載のローラ式塗布具のローラ体処理具。
【請求項４】
前記しごき片は、前記手挟み本体の柄部側に向かって、下がり傾斜に設置されていることを特徴とする請求項１、２または３記載のローラ式塗布具のローラ体処理具。
【請求項５】
前記ローラ体取外具の押出作用部は、前記当接支点部の前方及び後方の双方に具えるもので、使用者の使い勝手に応じて、前後どちらかの押出作用部をローラ体の軸方向端面に当接させてローラ体を押し出して取り外し可能としていることを特徴とする請求項１、２、３または４記載のローラ式塗布具のローラ体処理具。
【発明の詳細な説明】
【技術分野】
【０００１】
本発明はローラ式塗布具におけるローラ体の洗浄並びにローラ体を支持するための回転支持軸からのローラ体の取り外し、並びにその後の処理を行うための器具に関するものである。
【背景技術】
【０００２】
従来からペンキや接着剤等の塗料を、壁面等に塗布する際にローラ式塗布具が使用されている。このものはローラ体と、このローラ体を支持するための回転支持軸を有する支持体とを具備して成る。
このローラ式塗布具は、ローラ体が着脱自在に構成され、塗料の色を変更する際やローラ体が汚れた場合などに、ローラ体の周側面をしごくように洗浄したり、ローラ体を交換することが行われている。
【０００３】
このようなローラ式塗布具の塗布作業後の処理作業には次のような問題点があった。
まず、ローラ体に付着した汚れや塗料を洗い落とす場合には、適宜のヘラや棒等を用いて塗料が付着したローラ体の周側面をしごくようにして洗浄することが行われているが、このためには別途しごくためのヘラ等を用意しなければならない。
【０００４】
またローラ体を回転支持軸から抜き取る場合には、直接ローラ体を手で掴むのは手が汚れ、後の作業等に支障をきたすため、ウエス等にローラ体をくるんで掴んで抜いていたが、塗料が付着しているため、抜き取りずらいという難点があり、またウエス等で掴む場合であっても塗料がにじみ出て手に付着してしまうという問題点があった。
【０００５】
またローラ体の回転支持軸からの取り外しを軽い力で行い得るようにした用具に関する発明としては、特許文献１が存在し、この器具によれば、ローラ体の回転支持軸からの取り外しをスムーズに行い得ると想定されるが、この発明は「塗装ロール外し具」であり、その他の洗浄や取り外し後の処理についての対策は考慮されていない。
すなわち洗浄には、別途洗浄用の用具が必要であるし、また特許文献１の明細書中には細径部をローラ体の軸孔に突き刺して持つことが可能である旨の記載がなされているが、ローラ式塗布具の回転支持軸について特に統一した規格があるわけではないため、細径部をローラ体の軸孔に嵌入できないことや、逆に孔が大きすぎて、支持できないこと、また径が大きめの細径部への複数回の突き刺しによりローラ体の軸孔を広げてしまったり、また逆に細径部から、ローラ体を直接触れずに抜き取るための器具が別途必要になるなどの面倒が生じることが想定される。
【特許文献１】特開２０００−８４４７１号公報
【発明の開示】
【発明が解決しようとする課題】
【０００６】
本発明はこのような背景からなされたものであって、別途用具やウエス等の部材を用いることなく、洗浄から取り外し及びその後の処分等に至るまでの一連の作業が、直接ローラ体に手を触れることなく行え、結果的に手を汚すことなく、またローラ体の回転支持軸からの取り外しも軽い力で行うことができる新規なローラ式塗布具のローラ体処理具を実現しようとするものである。
【課題を解決するための手段】
【０００７】
すなわち請求項１記載のローラ式塗布具のローラ体処理具は、ローラ体と、このローラ体を支持するための回転支持軸を具えた支持体とを具備して成るローラ式塗布具を処理対象とし、このものにおける前記ローラ体について、その洗浄、あるいは前記回転支持軸からの取り外し、更にあるいはその後の廃棄等の処理を行う器具において、このものは一対の挟み片から成る手挟み本体に対し、しごき片及びローラ体取外具とを具備して成り、前記しごき片は、ローラ体の周側面に当接させて押圧しながら軸方向に移動させることにより、ローラ体に付着した汚れ及び塗料をしごき取るものであり、前記ローラ体取外具は、前記ローラ式塗布具の支持体に当接させる当接支点部と、ローラ体の軸方向端面に当接させる押出作用部とを具備して成り、このうち当接支点部を前記ローラ式塗布具の支持体に当接させた状態で、この当接支点部を中心として押出作用部側へ手挟み本体を回動させることにより、ローラ体を押出作用部で押し出して前記回転支持軸から取り外すことを特徴として成るものである。
【０００８】
更に請求項２記載のローラ式塗布具のローラ体処理具は、前記要件に加え、前記しごき片は、一方の挟み片の先端寄りの外面側に設けられ、前記ローラ体取外具は、他方の挟み片の先端寄りの外面側に設けられることを特徴として成るものである。
【０００９】
また請求項３記載のローラ式塗布具のローラ体処理具は、前記要件に加え、前記しごき片は、しごき方向に対して開放した円弧状に形成されていることを特徴として成るものである。
【００１０】
また請求項４記載のローラ式塗布具のローラ体処理具は、前記要件に加え、前記しごき片は、前記手挟み本体の柄部側に向かって、下がり傾斜に設置されていることを特徴として成るものである。
【００１１】
また請求項５記載のローラ式塗布具のローラ体処理具は、前記要件に加え、前記ローラ体取外具の押出作用部は、前記当接支点部の前方及び後方の双方に具えるもので、使用者の使い勝手に応じて、前後どちらかの押出作用部をローラ体の軸方向端面に当接させてローラ体を押し出して取り外し可能としていることを特徴として成るものである。
【発明の効果】
【００１２】
本発明のローラ式塗布具のローラ体処理具は、上述した手段により以下のような効果を奏するものである。
すなわち請求項１記載のローラ式塗布具のローラ体処理具によれば、しごき片でローラ体に付着した汚れ、塗料をしごき取ることができる。またローラ体に付着した汚れ、塗料等を除去した後、別途ウエス等を用意することなく、梃子の原理を用い軽い力でローラ体の取り外しを行うことができる。またこの際、手を汚すことがない。そしてその後のローラ体の廃棄等の処理も、手挟み本体で挾持することにより、手を汚すことなく処理ができる。またもちろんその他塗装作業に用いたタオル、紙類、用具等を後処理する際などにも手挟み本体を利用でき、その際に手を汚すことがない。
【００１３】
更に請求項２記載のローラ式塗布具のローラ体処理具によれば、しごき片とローラ体取外具とは、手挟み本体の先端側の挾持部に設けられるため、柄部側に塗料が付着して手を汚してしまうことがない。またしごき片は、一方の挟み片の外面側に設けられ、前記ローラ体取外具は、他方の挟み片の外面側に設けられるため、手挟み本体を持った時の重量バランスが良く、しごき片若しくはローラ体取外具を使用している際に互いが邪魔とならない。
【００１４】
また請求項３記載のローラ式塗布具のローラ体処理具によれば、ローラ体取外具の押出作用部を、当接支点部の前方及び後方の双方に具えるため、右利き、左利きなどの使い勝手に応じて前方及び後方の押出作用部を使用できる。
【００１５】
また請求項４記載のローラ式塗布具のローラ体処理具によれば、しごき片はしごき方向に対して開放した円弧状に形成されているため、ローラ体に付着した塗料を掻き集めやすく、塗料のしごき取りが促進される。
【００１６】
また請求項５記載のローラ式塗布具のローラ体処理具によれば、しごき片は、柄部側に向かって、下がり傾斜に設置されているため、付着した塗料や汚れなどを掻き取る効果に優れる。
【発明を実施するための最良の形態】
【００１７】
本発明の最良の形態は、具体的には以下の図示の実施例に述べるとおりである。
【実施例１】
【００１８】
以下本発明を図示の実施の形態に基づき説明する。図１中符号１で示す器具が本発明に係るローラ体処理具であり、ローラ式塗布具１０のローラ体１１を洗浄したり、あるいは回転支持軸１５ａから取り外しを行ったり、更にあるいはその後の廃棄等の処理を行う器具である。
【００１９】
まず本発明の適用対象物であるローラ式塗布具１０について概説すると、このものは、壁等の塗装面に直接的に当接して回転しながら塗料の塗布を行うローラ体１１と、このローラ体１１を支持する支持体１４とから成る。
前記ローラ体１１は円柱形をしており、周側面１２を塗布面とし、軸方向端面１３の中心の軸孔１３ａに対し、ローラ式塗布具１０の回転支持軸１５ａが嵌挿される。
また前記支持体１４は、把手１６とシャフト１５とからなり、シャフト１５は先端部が把手１６に対してほぼ直交する方向に屈曲しており、ここを回転支持軸１５ａとしている。
【００２０】
次に本発明に係るローラ体処理具１について説明する。
ローラ体処理具１は、図２に示されるように、一対の挟み片２Ｒ，２Ｌから成る手挟み本体２と、一方の挟み片２Ｒの先端寄りの外面側に設けられるしごき片３と、他方の挟み片２Ｌの先端寄りの外面側に設けられるローラ体取外具４とを具備して成る。なおしごき片３とローラ体取外具４とは、上述した位置に設けることが、手挟み本体２を持つ手を汚さないことや、重量バランスや、しごき片３若しくはローラ体取外具４の使用時にお互いが邪魔とならない点などで好ましいが、もちろん手挟み本体２の柄部２ｂ側など種々の位置に設けて実施することも可能である。
【００２１】
以下、各部材について説明する。
前記手挟み本体２は、左右の挟み片２Ｒ，２Ｌを有したＶ字状をしており、先端側を挾持部２ａとし、その反対側を柄部２ｂとしている。また前記しごき片３は、ローラ体１１の周側面１２に当接させて押し当てながらローラ体１１の軸方向に移動させることにより、ローラ体１１に付着した汚れ及び塗料をしごき取るものであり、挟み片２Ｒの側部に張り出して設けられている。なおしごき片３は一例として手挟み本体２の柄部２ｂ側に向かって開放した円弧状に形成された平板状のものを用いるもので、しごき力を増すためスクレーパ状に手前下がりに傾斜して設けられている。
【００２２】
また前記ローラ体取外具４は、一例として挟み片２Ｌと一つの金属板にて一体的に形成されたもので、挟み片２Ｌ下部の金属板をＬ字状に上方に折り曲げ形成し、外面を三角形状とし、その頂部と挟み片２Ｌとを平棒状の押出作用部４ｂにて連結している。なお外面の形状は、もちろん図示されるような三角形状のほか、矩形状や半円状など種々の形態で実施してもよい。
そしてこのローラ体取外具４は、前記ローラ式塗布具１０のシャフト１５に当接させる当接支点部４ａと、ローラ体１１の軸方向端面１３に当接させる前記押出作用部４ｂとを具備して成ることを特徴としている。なお本実施例では押出作用部４ｂをローラ体取外具４の前後に二つ有し、使い勝手や利き手の違いより両者を使い分け得るように構成したが、例えば前方のみに押出作用部４ｂを設けるよう構成して実施しても構わない。
【００２３】
本発明のローラ式塗布具１０のローラ体処理具１の一例は以上のような具体的形態を有するものであって、以下この使用態様について説明する。
（１）ローラ体の洗浄（図３（ａ）参照）
ローラ式塗布具１０を使用してローラ体１１が汚れたり、あるいは塗料を変更する際やローラ体１１を交換するにあたって、その前にローラ体１１を洗浄する。洗浄するにあたっては、例えば片手でローラ式塗布具１０の把手１６を持ち、他方の手でローラ体処理具１を持ち、ローラ体１１を使用している塗料に適した溶剤に漬けるなどした状態で、ローラ体処理具１のしごき片３をローラ体１１に当接させて、前後もしくは手前側に移動して付着している塗料や汚れをしごき取る。このときしごき片３が円弧状に形成され、柄部２ｂ側に向かって下がり傾斜に形成されているため、ローラ体１１に付着した塗料や汚れを掻き集めやすく、そして掻取効果に優れる。
【００２４】
（２）ローラ体の取り外し（図３（ｂ）（ｃ）、図４参照）
上記ローラ体１１の洗浄の終了後、再度同種または異種の塗料を付着して使用することも可能であるが、以下にはこのローラ体１１を取り外す場合について説明する。
まず例えば図３（ｂ）に示すようにシャフト１５が上にくるようにローラ式塗布具１０を左手で持ち、右手にローラ体処理具１を持つ。そして手挟み本体２の柄部２ｂを手前側とし、ローラ体取外具４の押出作用部４ｂをシャフト１５側に向けた状態で、ローラ体１１の軸方向端面１３に当接させ、一方当接支点部４ａをシャフト１５に下面側から当接させる。この状態でローラ体処理具１の柄部２ｂを手前側上方へ持ち上げるように図３（ｂ）中矢印方向に回動させると、梃子の原理によりごく軽い力でローラ体１１を押出作用部４ｂにより押して回転支持軸１５ａをずれ移動させることができる。ローラ体１１は、回転支持軸１５ａをある程度抜けると嵌着力が弱まるよう一般的に構成されているため、ローラ体１１が回転支持軸１５ａからある程度抜けた後、図３（ｃ）に示すように適宜押出作用部４ｂで突き出すようにして回転支持軸１５ａから取り外す。
【００２５】
なお図４（ａ）に示すものは、ローラ体取外具４の後方の押出作用部４ｂを用いてローラ体１１を回転支持軸１５ａから抜き取る参考使用例を示すものであり、更に図４（ｂ）に示すものは、ローラ式塗布具１０を右手で持ち、左手にローラ体処理具１を持ってローラ体１１の取り外しを行う参考使用例を示すものである。このように本発明に係るローラ体処理具１は、使用者の使い勝手に応じて複数の使用態様を取り得るものである。
【００２６】
（３）ローラ体の後処理（図３（ｄ）参照）
上記洗浄、取り外しがなされたローラ本体は、手挟み本体２の挾持部２ａにおいて挾持して、更に洗浄したり、廃棄したり、あるいは道具箱等に収納したりする。
【００２７】
以上のように本発明に係るローラ式塗布具１０のローラ体処理具１を使用すると、他の道具やウエス等を別途用意することなく、ローラ体１１の洗浄・交換・廃棄等が行え、且つローラ体１１を直接触らないため、手を汚すことがない。またローラ式塗布具１０以外のその他の塗装に用いたタオルや紙類などを処分するのにも手挟み本体を利用することができる。
【実施例２】
【００２８】
またしごき片３は、図１〜４に示された実施例１の形態のもののほか、図５（ａ）に示すように円弧状の板状部材がほぼ垂直に傾倒したもので実施してもよいし、更に図５（ｂ）に示すように直線平板状のものを手前傾斜に設置したものや、図５（ｃ）に示すように直棒状のもので実施することも可能である。
【実施例３】
【００２９】
またローラ体取外具４と、挟み片２Ｌとは、実施例１では一体的に形成したものをもちいたが、図６（ａ）に示すようにこのローラ体取外具４と、挟み片２Ｌとは別部材で形成し、熔接等により接続するようにしてもよい。またこの図６（ａ）の実施例３では、丸棒状の当接支点部４ａを用いている。
また更に、実施例１のローラ体取外具４は、当接支点部４ａから前後の押出作用部４ｂまでの長さを同一のもので実施したが、図６（ｂ）に示すように長さを異ならせて実施することが可能である。本実施例３では前方の押出作用部４ｂと当接支点部４ａとの間の長さＬ１に対し、後方の押出作用部４ｂと当接支点部４ａとの間の長さＬ２を長くして形成している。もちろんその逆で前方を長く、後方を短く実施することも可能である。
以上のようにローラ体取外具４を構成した場合、ローラ式塗布具１０の大きさや形状、更にはローラ体１１の取り外し段階に応じて前後の押出作用部４ｂを使い分けることが可能である。
【実施例４】
【００３０】
またローラ体処理具１は、不使用時に手挟み本体２を閉じておくように、図７に示されるように貼着自在な面状ファスナを用いた留めバンド５を具えるようにしてもよい。
【図面の簡単な説明】
【００３１】
【図１】本発明の実施例１に係るローラ体処理具の使用状態を示す斜視図である。
【図２】同上ローラ体処理具を示す斜視図である。
【図３】同上ローラ体処理具の使用態様を段階的に示す説明図である。
【図４】同上ローラ体のその他の二種の取り外し使用例を示す斜視図である。
【図５】しごき片の構成を異ならせた実施例２の三種の構成を示す斜視図である。
【図６】ローラ体取外具の構成を異ならせた実施例３の二種の構成を示す斜視図並びに平面図である。
【図７】留めバンドを具えた実施例４の構成を示す平面図と留めバンド周辺の拡大斜視図である。
【符号の説明】
【００３２】
１        ローラ体処理具
２        手挟み本体
２ａ      挾持部
２ｂ      柄部
２Ｒ      挟み片
２Ｌ      挟み片
３        しごき片
４        ローラ体取外具
４ａ      当接支点部
４ｂ      押出作用部
５        留めバンド
１０      ローラ式塗布具
１１      ローラ体
１２      周側面
１３      軸方向端面
１３ａ    軸孔
１４      支持体
１５      シャフト
１５ａ    回転支持軸
１６      把手
Ｌ１      前方の押出作用部と当接支点部との間の長さ
Ｌ２      後方の押出作用部と当接支点部との間の長さ
【図１】
2006167678.tif 000003
【図２】
2006167678.tif 000004
【図３】
2006167678.tif 000005
【図４】
2006167678.tif 000006
【図５】
2006167678.tif 000007
【図６】
2006167678.tif 000008
【図７】
2006167678.tif 000009